(57)【要約】  診断用のアタッチメント（４０ａ，４０，４０ｂ）は、診断カメラ（１０）のヘッド領域（１４）に、取り外し可能に接続するように形成されるカップリング部分（４２）と、カップリング部分（４２）に接続していて且つ自由な終端部分（４６）を有する、寸法的に安定した前記スペースホルダ部分（４４）と、を具備する。
2010521202.tif 000002
【特許請求の範囲】
【請求項１】
ハウジング（１４、１６）と、前記ハウジング（１４、１６）内に収容されている光学システム（１８）と画像記録装置（２０）とを有する、特に医療および歯科目的のための、診断カメラにおいて、
前記ハウジング（１４、１６）が、対象側にスペースホルダ部分（４４）を支持していることを特徴とする診断カメラ。
【請求項２】
前記スペースホルダ部分（４４）が、カップリング部分（４２）上に配置されており、前記カップリング部分が前記ハウジング（１４、１６）に、好ましくはそのヘッド領域（１４）に、取り外し可能に配置されていることを特徴とする請求項１に記載の診断カメラ。
【請求項３】
前記スペースホルダ部分（４４）の自由な終端部分（４６）が、載置面を定め、前記載置面が前記光学システム（１８）の視線方向（４２）に対して実質的に垂直であることを特徴とする請求項１または２に記載の診断カメラ。
【請求項４】
前記スペースホルダ部分（４４）の自由な終端部分（４６）が、少なくとも実質的に一周していて且つ好ましくは周方向に閉鎖された、ジャケットとして形成されていることを特徴とする請求項１から３のいずれか１項に記載の診断カメラ。
【請求項５】
前記カップリング部分（４２）が、少なくとも実質的に一周していて且つ好ましくは閉鎖された、ジャケットとして形成されていることを特徴とする請求項１から４のいずれか１項に記載の診断カメラ。
【請求項６】
前記スペースホルダ（４４）と前記カップリング部分（４２）が、ジャケット形状であって、貫通し且つ好ましくは９０度屈曲された、通路を共に画成することを特徴とする請求項２から５のいずれか１項に記載の診断カメラ。
【請求項７】
前記通路は、少なくとも前記スペースホルダ（４４）の領域内で内側に形成され、光を吸収する、あるいは光を散乱させる表面（５４）を有していることを特徴とする請求項６に記載の診断カメラ。
【請求項８】
前記通路が、前記スペースホルダ部分（４４）の領域内で内側に形成され、増大された粗度、好ましくは畝、を有していることを特徴とする請求項７に記載の診断カメラ。
【請求項９】
前記スペースホルダ部分（４４）が、自由端部へ向かって拡幅し、好ましくは円錐状またはピラミッド形状に拡幅していることを特徴とする請求項１から８のいずれか１項に記載の診断カメラ。
【請求項１０】
前記カップリング部分（４２）と前記スペースホルダ部分（４４）が、一体的に、特にプラスチック射出成形方法で、形成されていることを特徴とする請求項２から９のいずれか１項に記載の診断カメラ。
【請求項１１】
前記スペースホルダ部分（４４）とカップリング部分（４２）の、好ましくは前記スペースホルダ部分と一体的に結合された部分およびさらに好ましくは前記ハウジング（１４、１６）も、滅菌可能および／または消毒可能なプラスチック、たとえばポリプロピレンから形成されていることを特徴とする請求項１から１０のいずれか１項に記載の診断カメラ。
【請求項１２】
前記カップリング部分（４２）は、かぶせられた作業位置において、前記ヘッド領域（１４）に相補形状で固定されるように、前記ハウジング（１４、１６）の前記ヘッド領域（１４）に合わせられていることを特徴とする請求項２から１１のいずれか１項に記載の診断カメラ。
【請求項１３】
ハウジング（１４、１６）と、前記ハウジング（１４、１６）内に収容されている、光学システム（１８）と画像記録装置（２０）とを有する、特に医療および歯科目的のための、診断カメラ用のスペースホルダアタッチメントにおいて、
該スペースホルダアタッチメントは、スペースホルダ部分（４４）を有し、前記スペースホルダ部分がカップリング部分（４２）上に配置されており、前記カップリング部分（４２）が前記ハウジング（１４、１６）に、好ましくは前記ハウジングのヘッド領域（１４）に、取り外し可能に配置されていることを特徴とする診断カメラ用のスペースホルダアタッチメント。
【請求項１４】
前記スペースホルダ部分（４４）の自由な終端部分（４６）が、載置面を定め、前記載置面が、前記スペースホルダ部分（４４）の長手軸上に実質的に垂直に延びることを特徴とする請求項１３に記載のスペースホルダアタッチメント。
【請求項１５】
前記スペースホルダ部分（４４）の自由な終端部分（４６）が、少なくとも実質的に一周していて且つ好ましくは周方向に閉鎖された、ジャケットとして形成されていることを特徴とする請求項１３または１４に記載のスペースホルダアタッチメント。
【請求項１６】
前記カップリング部分（４２）が、少なくとも実質的に一周していて且つ好ましくは閉鎖された、ジャケットとして形成されていることを特徴とする請求項１３から１５のいずれか１項に記載のスペースホルダアタッチメント。
【請求項１７】
前記スペースホルダ部分（４４）と前記カップリング部分（４２）が、ジャケット形状であって、貫通し且つ好ましくは９０度屈曲された、通路を共に画成することを特徴とする請求項１４から１６のいずれか１項に記載のスペースホルダアタッチメント。
【請求項１８】
前記通路が、少なくとも前記スペースホルダ部分（４４）の領域内で内側に形成され、光を吸収する、あるいは光を散乱させる表面（５４）を有していることを特徴とする請求項１７に記載のスペースホルダアタッチメント。
【請求項１９】
前記通路が、前記スペースホルダ部分（４４）の領域内で内側に形成され、増大された粗度、好ましくは畝を有していることを特徴とする請求項１８に記載のスペースホルダアタッチメント。
【請求項２０】
前記スペースホルダ部分（４４）が自由端部へ向かって拡幅し、好ましくは円錐状またはピラミッド形状に拡幅していることを特徴とする請求項１３から１９のいずれか１項に記載のスペースホルダアタッチメント。
【請求項２１】
前記カップリング部分（４２）と前記スペースホルダ部分（４４）が、一体的に、特にプラスチック射出成形方法で、形成されていることを特徴とする請求項１３から２０のいずれか１項に記載のスペースホルダアタッチメント。
【請求項２２】
前記スペースホルダ部分（４４）と前記カップリング部分（４２）の、好ましくは前記スペースホルダ部分と一体的に結合された部分も、滅菌可能および／または消毒可能なプラスチック、たとえばポリプロピレンから形成されていることを特徴とする請求項１３から２１のいずれか１項に記載のスペースホルダアタッチメント。
【請求項２３】
前記カップリング部分（４２）が前記ハウジング（１４、１６）の前記ヘッド領域（１４）に次のように、すなわちかぶせられた作業位置において前記ヘッド領域（１４）に相補形状で固定されるように、合わせられていることを特徴とする請求項１３から２２のいずれか１項に記載のスペースホルダアタッチメント。
【請求項２４】
前記自由な終端部分（４６）が、透明な終端プレート（５５）を支持していることを特徴とする請求項１４から２３のいずれか１項に記載のスペースホルダアタッチメント。
【請求項２５】
前記自由な終端部分（４６）が、透明な終端プレート（５５）を支持しており、前記終端プレート（５５）が、前記ジャケットと密に結合されていることを特徴とする請求項１５に記載のスペースホルダ。
【請求項２６】
前記自由な終端部分（４６）が、透明な終端プレート（５５）を支持していることを特徴とする請求項３から１２のいずれか１項に記載の診断カメラ。
【請求項２７】
前記自由な終端部分（４６）が、透明な終端プレート（５５）を支持しており、前記終端プレート（５５）が、前記ジャケットと密に結合されていることを特徴とする請求項４に記載の診断カメラ。
【発明の詳細な説明】
【技術分野】
【０００１】
本発明は、診断カメラおよびそれを実現するためのアタッチメントに関する。
【背景技術】
【０００２】
既知の歯科用診断カメラは、患者の口内を遠隔観察するために設けられている。そのハウジングは、グリップ部分と、それに結合された、細長いヘッド領域とを有している。グリップ部分は、ユーザーが診断カメラを握って案内するために設けられている。グリップ領域の延長上に取り付けられたヘッド領域は、レンズ光学系と画像記録装置のような、光学的および電子的なコンポーネントを備えたカメラユニットを有している。
【０００３】
カメラユニットによって、観察すべき口内または歯の著しく拡大された像を記録して、電気信号の形式で再生装置、たとえばモニタへ供給することができる。作業条件（かがみ込んだ状態での保持、観察箇所への直接的な視的接触がしにくい）によって、口内ないし口内の歯のシャープで静止した、ぶれない診断カメラ画像を記録することが、困難になる。
【発明の概要】
【発明が解決しようとする課題】
【０００４】
本発明は、より静止した画像状態と良好な画像鮮明さを診断カメラにより得る、方法を提供する。
【課題を解決するための手段】
【０００５】
この課題は、本発明によれば、請求項１の特徴に基づく診断カメラによって、かつ請求項１３の特徴を有する診断カメラアタッチメントによって、解決される。
【０００６】
本発明に基づく診断カメラは、自由な終端部分を備えた、少なくとも１つの形状の安定したスペースホルダを有しており、その終端部分は少なくとも大部分視野の外部に配置される。診断カメラを使用する場合に、自由な終端部分によって、診断カメラの光学コンポーネントによって定められる対象領域、従って対象が診断カメラによってシャープに結像される位置領域が、ユーザーにとって見えるようなり、かつ／または触覚的に知ることができるようになる。
【０００７】
それによってユーザーは、口内の記録すべき対象、特に歯、に対して正しい間隔で診断カメラを口内空間において位置決めすることができ、そのために、対象の画像が表示される、モニタであって、典型的に患者へ向けられたモニタを観察する必要はない。
【０００８】
スペースホルダは、好ましくは、その自由端部が診断カメラの対象平面内に配置されるように、形成されている。
【０００９】
スペースホルダの自由な終端部分は、たとえば、記録すべき歯の表面上に載せることができる載置面を定め、それによって診断カメラによって記録された診断画像の安定化が得られ、その場合に同時に対象が、診断カメラの対象平面内に位置する。
【００１０】
本発明の好ましい形態が、従属請求項に記載されている。
【００１１】
請求項３に記載の診断カメラにおいて、自由なスペースホルダは、少なくとも実質的に一周するジャケットとして形成されており、従って載置面を形成している。それによって、アタッチメントを平面的に載置することにより、記録すべき対象、特に歯、に対する診断カメラの揺動を、小さく抑えることができる。それによって、画像の歪みが減少され、対象のための複写品質が改良される。
【００１２】
この変形例の特に好ましい実施形態においては、自由な終端部分は、閉鎖された、一周する壁として形成されているので、カメラハウジングのグリップ部分の方向づけに関係なく、複写すべき対象上に診断カメラを載置することが、保証される。
【００１３】
請求項４に記載の本発明の展開は、スペースホルダと診断カメラの間の確実な結合に関して、効果的である。それによって、診断カメラの利用中にスペースホルダがヘッド領域から外れて口内へ落下することが、回避される。
【００１４】
請求項５に記載の診断カメラにおいては、診断カメラによって設定される対象平面内で自由な終端部分の終端面を効果的に方向づけすることが実現される。典型的に、診断カメラは、ハウジングのグリップ部分の中心長手軸に対して（好ましくは９０度）傾いた視線方向を有している。従って、スペースホルダとカップリング部分が形成する、同様に（好ましくは９０度）屈曲された通路の自由な終端部分が、少なくともほぼ対象平面内にくる。
【００１５】
請求項６に記載の本発明の展開は、スペースホルダの領域内の通路の内面で、画像品質を損なうことになる、望ましくない反射がもたらされないことを、保証する。
【００１６】
請求項７によれば、カメラの内側は、その他においては滑らかに形成されている、アタッチメントの表面に対して、増大された粗度を有している。たとえば、通路の内側は、１μｍから４０μｍ、好ましくは２μｍから１０μｍ、特に好ましくは４μｍより小さい、平均の表面粗さＲｚを有している。それに加えて、あるいはその代りに、通路の内側に、好ましくは周方向、視線方向に対して直交して延びる、畝を設けることもできる。粗さは、当接する光ビームの拡散した散乱をもたらし、従って反射の減少を可能にする。
【００１７】
請求項８に示す診断カメラは、自由端部へ向かった、好ましくは円錐状またはピラミッド形状の拡幅によって、診断カメラの視野が制限されることなしに、スペースホルダのコンパクトな形態を可能にする。
【００１８】
請求項９に記載の本発明の展開は、スペースホルダアタッチメントの安価な形成とじょうぶな形状を保証する。というのは、カップリング部分とスペースホルダが一体的に、特にプラスチック射出成形方法で、形成されているからである。
【００１９】
好ましくは、請求項１０に記載のアタッチメントは、滅菌可能なプラスチック、好ましくはポリプロピレン、から形成されている。従って医療用および歯科医療用の器具のために有効な消毒および／または滅菌指針を遵守しながら、再使用可能性を保証することができる。さらに、わずかな重量を有する診断カメラを実現することができる。
【００２０】
請求項１１に記載の診断カメラは、カメラハウジングとカップリング部分が、協働する係止手段を有するように、形成されている。従って簡単なやり方で、診断カメラにスペースホルダアタッチメントを取り外し可能かつ信頼できるように固定することを、実現することができる。
【００２１】
請求項１３とそれに従属する下位請求項に示すスペースホルダアタッチメントは、すでに現場にある診断カメラにおいても、上述した利点を得ることを許す。
【００２２】
従って本発明によれば、（工場において、あるいは後付けによって）記録すべき対象上に診断カメラを載置して支持することを可能にする、診断カメラが得られる。従って、対象のぶれの少ない、ないしはぶれのない画像を得ることができる。プラスチックからなる形態においては、好ましい製造価格の他に、診断カメラのヘッド領域にスペースホルダアタッチメントを確実に、好ましくは相補形状かつそれに伴って正確かつ信頼できるように保持することが保証される。プラスチック材料の弾性特性は、スペースホルダアタッチメントが肉薄に形成されている場合でも、歯肉または口腔粘膜の損傷を回避することを可能にする。というのは、固いエッジが歯上に載置されず、あるいは歯肉と結合されないからである。
【００２３】
以下、図面を参照しながら、実施例を用いて本発明を詳細に説明する。
【図面の簡単な説明】
【００２４】
【図１】グリップ部分とヘッド領域とを有する歯科用診断カメラを示す斜視図である。
【図２】図１に示す歯科用診断カメラを、スペースホルダ−アタッチメントと共に示す斜視図である。
【図３】図２に示す診断カメラのヘッド領域を示す断面図である。
【図４】小さい組立て長さを有するスペースホルダ−アタッチメントを示す斜視図である。
【図５】中くらいの組立て長さを有するスペースホルダ−アタッチメントを示す斜視図である。
【図６】大きい組立て長さとピラミッド形状に拡幅された終端領域とを有するスペースホルダ−アタッチメントを示す斜視図である。
【図７】カメラハウジングに形成されたスペースホルダを有する歯科用診断カメラを示す側面図である。
【発明を実施するための形態】
【００２５】
図１に、歯科用の診断カメラ１０が示されており、その診断カメラは、グリップ部分１２と、グリップ部分１２の延長上に取り付けられた、実質的に円錐部分形状に形成されたヘッド領域１４とを有している。
【００２６】
歯科用の診断カメラ１０は、グリップ部分１２の、ヘッド領域１４とは逆の、図示されない後方の端部に、図示されないケーブルを有しており、そのケーブルは、電気エネルギを得るため、かつ特に歯科用の診断カメラ１０によって形成された電気的な画像信号を伝送するために、設けられている。画像信号は、ヘッド領域１４内に統合されたカメラユニット１６によって形成される。
【００２７】
カメラユニット１６は、図３に詳しく示されるように、実質的に光学システム（装置）１８と画像記録装置２０からなる。診断カメラ１０の視線方向２２は、グリップ部分１２とヘッド領域１４の中心長手軸２４に対して実質的に直交する方向を向く。それによって診断カメラ１０の、特に人間工学的取扱い及び狭い口内で歯表面を観察するのに、特に好ましい取扱いが保証される。
【００２８】
図２に示すように、診断カメラ１０上にアタッチメント４０が取り付けられており、それは、診断カメラと観察すべき対象の間に所定の間隔を維持することを容易にするものであって、以下で複数の実施例を用いて詳細に説明する。
【００２９】
図３の断面図に詳しく示されるように、照明された対象４１、たとえば患者の口内の歯から来る光ビームが、光学システム１８によって画像記録装置２０上に結像される。画像記録装置２０は、たとえばＣＣＤ（Charge Coupled Device）であって、感光性のセンサ面を有し、そのセンサ面が入射した光ビームをピクセル的に電気信号に変換する。
【００３０】
画像記録装置２０の電気的な出力信号が、その後、図示されないケーブルを介して同様に図示されない画像処理ユニットへ与えられ、その画像処理ユニットがモニタ上の対象４１の表示を制御する。
【００３１】
光学システム１８は、ヘッド領域１４の壁内へ密に挿入された透明な窓２８と、方向変換ミラー２６と、２枚のレンズ３１、３３を備えたレンズシステム３０とを有している。透明な窓２８は、カメラユニット１６をカメラハウジングの一部を形成するジャケット形状のヘッド領域１４内に湿気保護して収容することができるようにするために、ヘッド領域１４内へ密着して貼り付けられている。
【００３２】
方向変換ミラー２６は、光ビーム、すなわち対象４１から出る対象ビームの、９０度−方向変換をもたらす。対象４１から出る、サンプル観察される光ビームは、方向変換ミラー２６による方向変換後に、中心長手軸２４に対して平行に延びることができ、画像記録装置２０のセンサ面上に垂直に当接する。従って、カメラユニット１６の視線方向２２は、方向変換ミラー２６の作用によって、診断カメラ１０の中心長手軸２４に対して直交する方向に向けられている。
【００３３】
画像記録装置２０によって検出可能な画像角度γは、実質的にレンズシステム３０によって定められる。さらに、レンズシステム３０は、対象が画像記録装置２０上にシャープに結像される、深さ鮮鋭領域または対象領域３６を定める。
【００３４】
対象領域３６の内部で、対象平面３８は、対象が最高にシャープに結像される平面を特徴づける。画像角度γは、場合によっては窓２８の大きさ、方向変換ミラー２６の大きさあるいは光学的なビームパス内に設けられた、図示されない視野絞りまたはアタッチメント４０によって限定することができる。
【００３５】
方向変換ミラー２６に隣接して、白色光発光ダイオードとして形成された光源３２が設けられており、その光源が、撮像すべき対象の照明に用いられる。光源３２のメインビーム方向３４は、カメラユニット１６の視線方向２２に対して少なくとも実質的に平行に延びている。
【００３６】
図３の断面表示に示されるアタッチメント４０は、終端側において診断カメラ１０のヘッド領域１４上にかぶせられて、力結合（強制的閉鎖）により形状結合で（能動的状態で）ヘッド領域１４に保持される。
【００３７】
滅菌可能なプラスチック、たとえばポリプロピレンから形成されたアタッチメント４０は、結合手段として形成されたカップリング部分４２とスペースホルダ部分４４とを有している。図４から６に詳細に示すように、カップリング部分４２とスペースホルダ部分４４の壁部分が、開口部４５を画成し、その中へヘッド領域１４を形状結合で（能動的状態で）導入することができる。
【００３８】
カップリング部分４２とスペースホルダ部分４４は、両方ともジャケット形状であって、一緒になって直角に屈曲された通路を形成している。長手中心軸２４の方向における通路の長さは、図３から６に示すアタッチメント４０の図示の実施形態においては、極めて短い。通路は、図示されていない本発明の他の実施形態においては、ヘッド領域１６とのより大きい軸方向の重なりを得るために、カップリング部分の領域内でずっと長くすることもできる。
【００３９】
カップリング部分４２は、開口部４５の横断面においてアタッチメント４０をヘッド領域１４に力結合で（力で閉じて）結合させるように、ヘッド領域１４の横断面に合わせられている。そのために、カップリング部分４２の自由な内側横断面は、ヘッド領域１４の外側横断面よりもわずかに小さく選択されているので、アタッチメント４０をヘッド領域１４上にかぶせる場合に、カップリング部分４２の弾性的な変形が生じる。この弾性的な変形が、アタッチメント４０を診断カメラ１０に所望の力結合で（力で閉じて）固定するために必要な摩擦力をもたらす。
【００４０】
さらに、カップリング部分４２には、内側へ張り出す係止凸片５６が設けられており、その係止凸片がヘッド領域１４に設けられた溝内へ弾性的に嵌入して、それによって診断カメラ１０にアタッチメント４０を確実に係止することを保証している。
【００４１】
ジャケット形状に形成されたスペースホルダ部分４４は、カメラユニット１６の視線方向２２において窓２８を越えて張り出す自由な（固定されない）終端部分４６を有しており、その終端部分が対象平面３８内で終了しており、少なくともそれにほぼ隣接している。
【００４２】
それによって、自由な終端部分４６はユーザーに、シャープな画像を提供するためには、診断カメラ１０を対象４１にどのくらい近づくように案内しなければならないかを示す。自由な終端部分４６が対象４１の表面上にセットされた場合に、対象表面が自動的に診断カメラ１０の対象領域３６内にくる。
【００４３】
自由な終端部分４６を対象表面に添接させることによって、さらに、診断カメラ１０の位置安定性が得られる。これが、一方で、正しい画像切取りの選択を容易にする。他方で、自由な終端部分４６を対象上に載置しない場合に発生し得る、ユーザーの震え運動が減少され、あるいは完全に回避される。それによって、診断カメラ１０によって記録される画像が、静止し、かつ安定する。
【００４４】
図４に示すアタッチメント４０は、ボックス形状の構造を有している。アタッチメント４０の１つの側壁は、完全に切り欠かれており、それによってジャケット形状の自由な終端部分４６によって縁取られた視野窓４８が形成される。アタッチメント４０の、視野窓４８に隣接する壁に、結合目的に用いられる開口部４５が設けられており、その開口部は、終端部分４６の終端面に対して平行に方向付けされた扁平部５０を備えた、実質的に円形の端縁構造を有している。
【００４５】
自由な終端部分４６は、図４に示すアタッチメント４０においては、扁平部５０から約５ｍｍ離れて配置されているので、対象４１と窓２８との間の距離は、同様に約５ｍｍであって、自由な終端部分４６は少なくともほぼ対象平面３８内に位置する。
【００４６】
スペースホルダ部分４４の領域内で、アタッチメント４０の内側面に、一周する粗面化された表面５４が設けられている。粗面化は、たとえば、アタッチメント４０のための射出成形型内に設けられた表面加工によって、たとえばサンドブラストによって、得ることができ、射出工程の際にアタッチメント４０上に複製（又は、成形）される。
【００４７】
粗面化された表面５４によって、光源３２または対象から出る光ビームを、スペースホルダ部分４４の内側面において拡散して散乱させることができる。従ってこの光ビームは、散乱光ビームとして妨げられずにカメラユニット１６の光学システム１８内へばらまかれることはなく、それによって診断カメラ１０の画像品質の改良が実現される。
【００４８】
代替的に、スペースホルダ部分４４の内側面は、光を吸収するように、特に黒く形成することができ、たとえば黒く塗装することができる。
【００４９】
アタッチメント４０の幾何学配置をカメラユニットの画像角度に合わせることによって、さらに、光源３２から放射された光ビームが側方へ逃げることが減少され、ないしは防止される。従って、対象を照明するためにより多くの光が提供され、それによって改良された画像品質のために、さらなる寄与が得られる。
【００５０】
機能の等しい部材について、すでに導入された参照符号が維持されている、図５に示すアタッチメント４０においては、自由な終端部分４６ａは、扁平部５０から約１０ｍｍ離れて配置されており、切欠き５８によって部分的に中断されている。
【００５１】
それによって、アタッチメント４０を備えた診断カメラ１０を平坦でない表面上に載置する場合に、平坦でない表面から突出する、診断カメラ１０によって表示させるべき対象領域が、診断カメラ１０の対象平面３８内に、あるいは少なくとも対象領域３６内に来るようにすることを、保証することができる。
【００５２】
さらに、診断カメラ１０のユーザーへ向けられた切欠き５８が、記録すべき表面を直接見ることを可能にする。
【００５３】
機能の等しい部材について、すでに導入された参照符号が維持されている、図６に示すアタッチメント４０においては、自由な終端部分４６ｂは、扁平部５０から約１８ｍｍ離れて配置されており、終端側において、ボックス形状のアタッチメント４０の実質的にピラミッド台形状に形成された突出部５２に設置されている。
【００５４】
突出部５２のピラミッド台形状の形態によって、アタッチメント４０をコンパクトに構成し、観察すべき対象上に簡単に載せることができる。突出部５２の開口角度、従ってそれぞれ対向して配置されたピラミッド面の間に形成される角度は、画像記録装置２０によってさらに検出することができる端縁ビームが、突出部５２のピラミッド面に対して実質的に平行に延びるように、カメラユニット１６の画像角度γに適合されている。従って、アタッチメント４０は、カメラユニット１６によって記録される画像のための境界として作用しない。
【００５５】
図７に示す実施例において、ヘッド領域１４にスペースホルダバー４４が形成されており、その軸は、グリップ部分１２とヘッド領域１４の軸に対して垂直に延びており、かつ視野の外部の側方に位置し、あるいは視野の端縁ぎりぎりに隣接している。
【００５６】
代替的に、スペースホルダバー４４をヘッド領域１４の凹部内へ取り外し可能に挿入することができ、それは、診断カメラの製造および清掃と滅菌に関して効果的である。
【００５７】
従って、図１から６に示す実施例の場合と同じ効果が得られる。
【００５８】
上述した診断カメラは、人医学または獣医学において人と動物の、接近が難しい他の身体部分を観察するためにも使用することができる。この診断カメラは、接近が難しい表面領域を管理するための材料および製品検査においても、使用することができる。
【００５９】
アタッチメント４０の終端部分４６は、図４に示唆するように、透明な終端プレート５５によって密閉することができる。この終端プレートは、観察すべき組織のための添接面を表し、それによってその組織を対象表面内に正確に位置決めすることをもたらす。同時に、組織の湾曲が防止される。また、それによってスペースホルダの自由端部が、ゴミや菌の侵入に対して保護される。スペースホルダ４０の端部の滑らかな外側面が、その滅菌と消毒を容易にする。
【図１】
2010521202.tif 000003
【図２】
2010521202.tif 000004
【図３】
2010521202.tif 000005
【図４】
2010521202.tif 000006
【図５】
2010521202.tif 000007
【図６】
2010521202.tif 000008
【図７】
2010521202.tif 000009
【国際調査報告】
2010521202.tif 000010
2010521202.tif 000011
2010521202.tif 000012
2010521202.tif 000013
2010521202.tif 000014
2010521202.tif 000015